【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
センタサーバと１又は複数のサブサーバとからなる複数のサーバと、１又は複数のクライアントとを備えたネットワークＡＶシステムであって、
前記センタサーバ及びサブサーバの各々は、
複数のコンテンツを蓄積するための蓄積手段と、
自身が起動した後に起動した当該他のサーバに関する情報を記憶する手段と、
自身が蓄積するコンテンツを列挙した自身のローカルリストと、自身が起動した後に起動した当該他のサーバが蓄積する複数のコンテンツを列挙した当該他のサーバごとのローカルリストとを記憶するためのリスト記憶手段とを備え、
前記センタサーバはさらに、
前記複数のローカルリストをまとめたグローバルリストを前記クライアントに送信するグローバルリスト送信手段と、
自身が前記ネットワークＡＶシステムから離脱するとき、自身が起動した後に起動した前記当該他のサーバのうち、一番初めに自身に接続されたサーバに引継命令を送信する送信手段とを備え、
前記サブサーバはさらに、前記引継命令を受けたとき、前記センタサーバとして動作することを特徴とするネットワークＡＶシステム。
【請求項２】
請求項１に記載のネットワークＡＶシステムであって、
前記クライアントは、
前記送信されたグローバルリストの中から選択されたコンテンツを前記センタサーバ又は前記サブサーバに要求するコンテンツ要求手段を備え、
前記センタサーバ又は前記サブサーバの少なくとも１つはさらに、
前記クライアントからの要求に応じて前記選択されたコンテンツを前記クライアントに返信するコンテンツ返信手段を備え、
前記クライアントはさらに、
前記センタサーバ又は前記サブサーバから返信されたコンテンツを再生する再生手段とを備えることを特徴とするネットワークＡＶシステム。
【請求項３】
請求項２に記載のネットワークＡＶシステムであって、
前記コンテンツ要求手段は、前記選択されたコンテンツを前記センタサーバに要求し、
前記センタサーバは、前記コンテンツ返信手段を備え、
前記センタサーバはさらに、
前記クライアントからの要求に応じて前記グローバルリストに基づいて前記選択されたコンテンツを蓄積するサーバを特定するサーバ特定手段と、
前記特定されたサーバがセンタサーバの場合、自己の前記蓄積手段から前記選択されたコンテンツを取得し、前記特定されたサーバがサブサーバの場合、そのサブサーバの蓄積手段から前記選択されたコンテンツを取得するコンテンツ取得手段とを備え、
前記コンテンツ返信手段は、前記コンテンツ取得手段により取得されたコンテンツを前記クライアントに返信することを特徴とするネットワークＡＶシステム。
【請求項４】
請求項３に記載のネットワークＡＶシステムであって、
前記グローバルリストは前記複数のコンテンツに対応して前記複数のコンテンツが蓄積された複数のサーバのアドレスを含み、
前記サーバ特定手段は、前記コンテンツ要求手段により要求されたコンテンツを蓄積した前記サーバのアドレスを特定することを特徴とするネットワークＡＶシステム。
【請求項５】
請求項２に記載のネットワークＡＶシステムであって、
前記グローバルリストは複数のコンテンツに対応して前記コンテンツが蓄積された複数のサーバのアドレスを含み、
前記コンテンツ要求手段は、前記選択されたコンテンツを、前記グローバルリストに基づいて特定したサブサーバに要求することを特徴とするネットワークＡＶシステム。
【請求項６】
請求項１に記載のネットワークＡＶシステムであって、
前記サブサーバはさらに、
自身のローカルリストを更新するローカルリスト更新手段と、
自身より先に起動したセンタサーバ及びサブサーバに対してリスト更新通知を送信する更新通知手段と、
前記リスト更新通知を受けたとき、前記リスト記憶手段内の複数のローカルリストのうち、前記リスト更新通知を送信したサブサーバのローカルリストを更新するリスト更新手段とを備えることを特徴とするネットワークＡＶシステム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】変更
【補正の内容】
【００４７】
本発明によるネットワークＡＶシステムは、センタサーバと１又は複数のサブサーバとからなる複数のサーバと、１又は複数のクライアントとを備えたネットワークＡＶシステムであって、センタサーバ及びサブサーバの各々は複数のコンテンツを蓄積するための蓄積手段と、自身が起動した後に起動した当該他のサーバに関する情報を記憶する手段と、
自身が蓄積するコンテンツを列挙した自身のローカルリストと、自身が起動した後に起動した当該他のサーバが蓄積する複数のコンテンツを列挙した当該他のサーバごとのローカルリストとを記憶するためのリスト記憶手段とを備える。センタサーバはさらに、複数のローカルリストをまとめたグローバルリストをクライアントに送信するグローバルリスト送信手段と、自身がネットワークＡＶシステムから離脱するとき、自身が起動した後に起動した当該他のサーバのうち、一番初めに自身に接続されたサーバに引継命令を送信する送信手段とを備える。サブサーバはさらに、引継命令を受けたとき、センタサーバとして動作する。
【手続補正４１】
【補正対象書類名】明細書
【補正対象項目名】００５７
【補正方法】変更
【補正の内容】
【００５７】
好ましくは、サブサーバはさらに、ローカルリスト更新手段と、更新通知手段と、リスト更新手段とを備える。ローカルリスト更新手段は、自身のローカルリストを更新する。更新通知手段は、自身より先に起動したセンタサーバ及びサブサーバに対してリスト更新通知を送信する。リスト更新手段は、リスト更新通知を受けたとき、リスト記憶手段内の複数のローカルリストのうち、リスト更新通知を送信したサブサーバのローカルリストを更新する。
【手続補正４２】
【補正対象書類名】明細書
【補正対象項目名】００５８
【補正方法】削除
【補正の内容】
【手続補正４３】
【補正対象書類名】明細書
【補正対象項目名】００５９
【補正方法】削除
【補正の内容】
【手続補正４４】
【補正対象書類名】明細書
【補正対象項目名】００６０
【補正方法】削除
【補正の内容】
【手続補正４５】
【補正対象書類名】明細書
【補正対象項目名】００６１
【補正方法】削除
【補正の内容】
【手続補正４６】
【補正対象書類名】明細書
【補正対象項目名】００６２
【補正方法】削除
【補正の内容】
【手続補正４７】
【補正対象書類名】明細書
【補正対象項目名】００６３
【補正方法】削除
【補正の内容】
【手続補正４８】
【補正対象書類名】明細書
【補正対象項目名】００６４
【補正方法】削除
【補正の内容】
【手続補正４９】
【補正対象書類名】明細書
【補正対象項目名】００６５
【補正方法】削除
【補正の内容】
【手続補正５０】
【補正対象書類名】明細書
【補正対象項目名】００６６
【補正方法】削除
【補正の内容】
【手続補正５１】
【補正対象書類名】明細書
【補正対象項目名】００６７
【補正方法】削除
【補正の内容】
【手続補正５２】
【補正対象書類名】明細書
【補正対象項目名】００６８
【補正方法】削除
【補正の内容】
【手続補正５３】
【補正対象書類名】明細書
【補正対象項目名】００６９
【補正方法】削除
【補正の内容】
【手続補正５４】
【補正対象書類名】明細書
【補正対象項目名】００７０
【補正方法】削除
【補正の内容】
【手続補正５５】
【補正対象書類名】明細書
【補正対象項目名】００７１
【補正方法】削除
【補正の内容】
【手続補正５６】
【補正対象書類名】明細書
【補正対象項目名】００７２
【補正方法】削除
【補正の内容】
【手続補正５７】
【補正対象書類名】明細書
【補正対象項目名】００７３
【補正方法】削除
【補正の内容】
【手続補正５８】
【補正対象書類名】明細書
【補正対象項目名】００７４
【補正方法】削除
【補正の内容】
【手続補正５９】
【補正対象書類名】明細書
【補正対象項目名】００７５
【補正方法】削除
【補正の内容】
【手続補正６０】
【補正対象書類名】明細書
【補正対象項目名】００７６
【補正方法】削除
【補正の内容】
【手続補正６１】
【補正対象書類名】明細書
【補正対象項目名】００７７
【補正方法】削除
【補正の内容】
【手続補正６２】
【補正対象書類名】明細書
【補正対象項目名】００７８
【補正方法】削除
【補正の内容】
【手続補正６３】
【補正対象書類名】明細書
【補正対象項目名】００７９
【補正方法】削除
【補正の内容】
【手続補正６４】
【補正対象書類名】明細書
【補正対象項目名】００８０
【補正方法】削除
【補正の内容】
【手続補正６５】
【補正対象書類名】明細書
【補正対象項目名】００８１
【補正方法】削除
【補正の内容】
【手続補正６６】
【補正対象書類名】明細書
【補正対象項目名】００８２
【補正方法】削除
【補正の内容】